(57)【要約】【課題】平板状配線部材の別の配線基板への取付けに用いられるにあたり、簡単な構成を有していて十分な低価格化と低背化とを図ることができ、しかも、平板状配線部材と別の配線基板との電気的接続を確実に行うことができるコネクタ装置を提供する。【解決手段】信号用接続端子部が設けられた配線基板（１３）に固着される金属製の板状部材（１２）によって構成され、板状部材（１２）が、接触接続部が設けられた平板状配線部材（１４）が挿入される配線部材収容空間（１５Ａ）を配線基板（１３）との間に形成する配線部材格納部（１５）を備え、その配線部材格納部（１５）に、配線部材収容空間（１５Ａ）に挿入された平板状配線部材（１４）に接触接続部を信号用接続端子部に直接に接触接続させる状態を維持させる弾性押圧片部（１７）が設けられる。【選択図】図４
2010123481.tif 000002
【特許請求の範囲】
【請求項１】
信号用接続端子部が設けられた配線基板に固着される金属製の板状部材によって構成され、
該板状部材が、接触接続部が設けられた平板状配線部材が挿入される配線部材収容空間を上記配線基板との間に形成する配線部材格納部を、屈曲形成されたものとして備え、該配線部材格納部に、上記配線部材収容空間に挿入された上記平板状配線部材に上記接触接続部を上記信号用接続端子部に直接に接触接続させる状態を維持させる接触状態維持手段が設けられたことを特徴とするコネクタ装置。
【請求項２】
上記接触状態維持手段が、上記配線部材格納部に形成された、上記配線部材収容空間に挿入された上記平板状配線部材を上記配線基板に押し付ける複数の弾性押圧片部とされることを特徴とする請求項１記載のコネクタ装置。
【請求項３】
上記複数の弾性押圧片部が相互に平行とされて配列配置されることを特徴とする請求項２記載のコネクタ装置。
【請求項４】
上記複数の弾性押圧片部が、上記配線部材収容空間に挿入された上記平板状配線部材が有する補強板状部に設けられた窓部を通じて、上記平板状配線部材を上記配線基板に押し付けることを特徴とする請求項２記載のコネクタ装置。
【請求項５】
上記板状部材が、上記配線部材格納部に加えて、上記配線基板に設けられた接地用接続端子部に接続される第１の接地接続部と、上記配線部材収容空間に挿入された上記平板状配線部材における接地用接触接続部に接続される第２の接地接続部とを備えることを特徴とする請求項１記載のコネクタ装置。
【請求項６】
上記板状部材に備えられた上記第１の接地接続部が上記配線基板に設けられた上記接地用接続端子部に半田付けされて、上記板状部材が上記配線基板に固着されることを特徴とする請求項５記載のコネクタ装置。
【請求項７】
上記板状部材が、上記配線部材収容空間に挿入された上記平板状配線部材が有する補強板状部に設けられた第１のロック用係合部に係合して、上記平板状配線部材の上記配線部材収容空間に挿入された状態を維持する第２のロック用係合部を備えることを特徴とする請求項１記載のコネクタ装置。
【請求項８】
上記板状部材が、上記配線部材収容空間に挿入された上記平板状配線部材が有する補強板状部に設けられた第１のロック用係合部に係合して、上記平板状配線部材の上記配線部材収容空間に挿入された状態を維持する第２のロック用係合部を備え、該第２のロック用係合部が、上記第２の接地接続部を形成することを特徴とする請求項５記載のコネクタ装置。
【請求項９】
上記第２のロック用係合部が、上記配線部材収容空間に挿入された上記平板状配線部材が有する補強板状部における上記第１のロック用係合部の周囲に配されて上記接地用接触接続部を形成する導電箔部に接触接続されることを特徴とする請求項８記載のコネクタ装置。
【発明の詳細な説明】
【技術分野】
【０００１】
本願の特許請求の範囲に記載された発明は、フレキシブル印刷配線基板（ＦＰＣ）やフレキシブルフラットケーブル（ＦＦＣ）等の平板状配線部材に設けられた接触接続部を、他の配線基板に設けられた接続端子部に電気的に接続された状態とするためのコネクタ装置に関する。
【背景技術】
【０００２】
携帯電話機等の電子機器に実装される、比較的小型なフレキシブル印刷配線基板あるいはフレキシブルフラットケーブル等の平板状配線部材にあっては、各種の電気部品が取り付けられる主印刷配線基板への取付けが、当該主印刷配線基板に電気的接続がなされて固着されたコネクタ装置が用いられて行われることが多い。斯かるコネクタ装置は、フレキシブル印刷配線基板あるいはフレキシブルフラットケーブル等の平板状配線部材を保持し、その平板状配線部材に設けられた接触接続部を、主印刷配線基板に設けられた印刷配線部における接続端子部に電気的に接続する。
【０００３】
このようなフレキシブル印刷配線基板あるいはフレキシブルフラットケーブル等の平板状配線部材の主印刷配線基板への取付けに用いられるコネクタ装置として、様々な形式のものが提案されている。そして、それらのうちには、主印刷配線基板に固着されて用いられるにあたり、主印刷配線基板上における突出高を比較的小とすること、即ち、低背化を図ることを目指したコネクタ装置も見られる（例えば、特許文献１参照。）。
【０００４】
従来提案されている低背化を図ることを目指したコネクタ装置、例えば、特許文献１に示されるコネクタ装置は、例えば、絶縁材により形成されるハウジング部を備えることなく、主印刷配線基板である回路基板(P) に取り付けられる金属製の支持部材(2) と支持部材(2) に回動可能に取り付けられる金属製の押圧部材(3) とを備えて構成されている。
【０００５】
支持部材(2) は、回路基板(P) に所定の間隔をおいて固着される一対の側部材(4) と一対の側部材(4) 同士を連結する連結部材(5) とを有しており、回路基板(P) の面上における一対の側部材(4) により挟まれた部分が、平板状配線部材である平型回路基板(1) が配される基板配置位置とされる。押圧部材(3) は、平板状部とそれから相互に平行となるように突出する複数の腕状部とを有した金属板に、複数の腕状部が平板状部に対して折り返される屈曲加工が施されて作られており、その折返し部が連結部材(5) に設けられた軸状の回動支持部(5E)により支持されていて、回路基板(P) に対して起き上がった位置（開放位置）と回路基板(P) に対して伏した位置（保持位置）との間において回動できるようにされている。そして、複数の腕状部が、押圧部材(3) が保持位置をとるとき、回路基板(P) の面上における一対の側部材(4) に挟まれた基板配置位置に対向するものとされる、複数の押圧部(8) を形成している。回路基板(P) の面上における基板配置位置には、複数の配線パターン(P1)の夫々の端部に形成された接触接続部である接続パッド(P２）が配されている。
【０００６】
このようなもとで、押圧部材(3) が開放位置をとるものとされて、平型回路基板(1) の部分が回路基板(P) の面上における基板配置位置に配される。その際、基板配置位置に配される平型回路基板(1) の部分における接触接続部である接点部(1B)が設けられた面が、回路基板(P) における接続パッド(P２）が配される面に対接する状態におかれる。
【０００７】
その後、押圧部材(3) が支持部材(2) に対して回動せしめられて保持位置をとり、それに伴って、押圧部材(3) に設けられた複数の押圧部(8) が、回路基板(P) の面上における基板配置位置に配された平型回路基板(1) の部分を回路基板(P) に向けて押圧する。それにより、回路基板(P) の面上における基板配置位置に配された平型回路基板(1) の部分が押圧部材(3) によって保持されるとともに、基板配置位置に配される平型回路基板(1) の部分に設けられた接点部(1B)が、回路基板(P) の面上における基板配置位置に配された接続パッド(P２）に接触接続された状態が維持される。
【０００８】
その結果、平型回路基板(1) の回路基板(P) への取り付けが、支持部材(2) と押圧部材(3) とを備えたコネクタが用いられて行われることになる。
【０００９】
【特許文献１】特開２００７−２２７０３６号公報（第５〜７頁、図１〜５）
【発明の開示】
【発明が解決しようとする課題】
【００１０】
上述のような平板状配線部材の主印刷配線基板への取付けに用いられるコネクタ装置であって低背化を図ることを目指したものにあっては、例えば、絶縁材により形成されるハウジング部を備えていないこともあって、支持部材(2) の回路基板(P) からの突出高を比較的小となるようにすることにより、押圧部材(3) が保持位置をとるもとでのコネクタ装置全体の低背化を図ることが可能とされる。
【００１１】
しかしながら、平板状配線部材の主印刷配線基板への取付けに用いられるコネクタ装置が実装される携帯電話機等の電子機器がますます小型化されていくもとで、コネクタ装置のより一層の低背化及び低価格化が要望されているが、上述の従来提案されているコネクタ装置は、このような要望に応えることは困難と考えられる。その要因は、主として、上述の従来提案されているコネクタ装置がとる、平板状部とそれから相互に平行となるように突出する複数の腕状部とを有した金属板に複数の腕状部が平板状部に対して折り返される屈曲加工が施されて作られた押圧部材が、回路基板に固着された支持部材により回動可能に支持されて成る、構成にある。
【００１２】
このよう構成をとるコネクタ装置にあっては、支持部材により回動可能に支持された押圧部材が、回路基板に対して起き上がった位置である開放位置におかれるときのみならず、回路基板に対して伏した位置である保持位置におかれるときにおいても、平板状部とそれから相互に平行となるように突出する複数の腕状部とを有した金属板に複数の腕状部が平板状部に対して折り返される屈曲加工が施されて作られていることからして、その低背化には限界があり、ある程度の低背化に止められることになる。また、金属板に屈曲加工が施されて作られた押圧部材が支持部材により回動可能に支持される構造は、簡単な構造とは言えず、それなりのコストを要することになり、それゆえ、一層の低価格化を図ることは困難である。
【００１３】
斯かる点に鑑み、本願の特許請求の範囲に記載された発明は、フレキシブル印刷配線基板あるいはフレキシブルフラットケーブル等の平板状配線部材の別の配線基板への取付けに用いられるコネクタ装置であって、簡単な構成を有していて十分な低価格化と低背化とを図ることが可能とされ、しかも、平板状配線部材に設けられた接触接続部の別の配線基板に設けられた信号用接続端子部への接続を確実に行うことができるものを提供する。
【課題を解決するための手段】
【００１４】
本願の特許請求の範囲における請求項１から請求項９までのいずれかに記載された発明（以下、本発明という。）に係るコネクタ装置は、信号用接続端子部が設けられた配線基板に固着される金属製の板状部材によって構成され、その板状部材が、接触接続部が設けられた平板状配線部材が挿入される配線部材収容空間を配線基板との間に形成する配線部材格納部を、屈曲形成されたものとして備えていて、その配線部材格納部に、配線部材収容空間に挿入された平板状配線部材に接触接続部を信号用接続端子部に直接に接触接続させる状態を維持させる接触状態維持手段が設けられたものとされる。
【００１５】
特に、本願の特許請求の範囲における請求項２に記載された本発明に係るコネクタ装置にあっては、配線部材収容空間に挿入された平板状配線部材に接触接続部を信号用接続端子部に直接に接触接続させる状態を維持させる接触状態維持手段が、配線部材格納部に形成された、配線部材収容空間に挿入された平板状配線部材を配線基板に押し付ける複数の弾性押圧片部とされる。
【００１６】
さらに、本願の特許請求の範囲における請求項５に記載された本発明に係るコネクタ装置にあっては、板状部材が、配線部材格納部に加えて、配線基板に設けられた接地用接続端子部に接続される第１の接地接続部と、配線部材収容空間に挿入された平板状配線部材における接地用接触接続部に接続される第２の接地接続部とを備えるものとして形成される。
【００１７】
このように構成される本発明に係るコネクタ装置は、配線基板との間に配線部材収容空間を形成する配線部材格納部が屈曲加工により形成され、その配線部材格納部に、配線部材収容空間に挿入された平板状配線部材にそれに設けられた接触接続部を配線基板における信号用接続端子部に直接に接触接続させる状態を維持させる接触状態維持手段が設けられて成り、配線基板に取り付けられる金属製の板状部材によって構成され、例えば、絶縁材により形成されるハウジング部や回動部材等は備えていない。そして、接触状態維持手段が、例えば、配線部材収容空間に挿入された平板状配線部材を配線基板に押し付ける複数の弾性押圧片部とされる。また、例えば、板状部材には、配線部材格納部に加えて、配線基板に設けられた接地用接続端子部に接続される第１の接地接続部と、配線部材収容空間に挿入された平板状配線部材における接地用接触接続部に接続される第２の接地接続部とが設けられる。
【発明の効果】
【００１８】
上述のように、本発明に係るコネクタ装置は、屈曲加工が施されて配線基板に取り付けられる金属製の板状部材によって成り、例えば、絶縁材により形成されるハウジング部や回動部材等は備えていない、極めて簡単な構成を有したものとされる。それにより、このような本発明に係るコネクタ装置によれば、十分な低価格化を図ることができるとともに、配線基板に実装されたもとにおける配線基板からの突出高を極めて小とできて、コネクタ装置全体の十分な低背化を図ることができることになる。
【００１９】
また、本発明に係るコネクタ装置を構成する金属製の板状部材に形成された配線部材格納部に設けられた、例えば、配線部材収容空間に挿入された平板状配線部材を配線基板に押し付ける複数の弾性押圧片部とされる、接触状態維持手段は、配線部材収容空間に挿入された平板状配線部材に設けられた接触接続部を、配線基板に設けられた信号用接続端子部に直接かつ確実に接触接続させることができる。それにより、平板状配線部材の配線基板に対する電気的接続を伴った取り付けが確実に行われる。
【００２０】
さらに、本発明に係るコネクタ装置を構成する金属製の板状部材には、例えば、配線部材格納部に加えて、配線基板に設けられた接地用接続端子部に接続される第１の接地接続部と、配線部材収容空間に挿入された平板状配線部材における接地用接触接続部に接続される第２の接地接続部とが設けられる。それにより、本発明に係るコネクタ装置は、平板状配線部材に設けられた接地用接触接続部と配線基板における接地用接続端子部とを電気的に連結することもできる。
【発明を実施するための最良の形態】
【００２１】
本発明を実施するための最良の形態は、以下に述べられる本発明についての実施例をもって説明される。
【実施例】
【００２２】
図１は、本発明に係るコネクタ装置の一例（実施例）を成すコネクタ装置１１を示す。
【００２３】
図１に示されるコネクタ装置１１は、屈曲加工が施された１枚の金属製の板状部材１２によって構成されている。板状部材１２は、図２に示される配線基板１３に取り付けられて用いられる。
【００２４】
板状部材１２には、配線基板１３に取り付けられたとき、フレキシブル印刷配線基板やフレキシブルフラットケーブル等の平板状配線部材１４（後述される図４に示される）が挿入される配線部材収容空間１５Ａ（後述される図３〜図８に示される）を配線基板１３との間に形成する、配線部材格納部１５が屈曲形成されている。そして、配線部材格納部１５には、複数の透孔状部１６が相互に平行とされて配列形成されており、これらの複数の透孔状部１６の夫々の内部に弾性押圧片部１７が伸びており、弾性押圧片部１７の一端は配線部材格納部１５に連結されている。即ち、配線部材格納部１５には、複数の弾性押圧片部１７が相互に平行とされて配列配置されて設けられているのであり、これらの複数の弾性押圧片部１７の夫々は、その一部が、透孔状部１６を通じて、配線部材格納部１５の内側に形成される空間（板状部材１２が配線基板１３に取り付けられたとき配線部材収容空間１５Ａとされる空間）内に位置するようにされる。そして、複数の弾性押圧片部１７は、板状部材１２が配線基板１３に取り付けられたもとで、配線部材収容空間１５Ａに挿入された平板状配線部材１４を配線基板１３に押しつける役割を果たす。
【００２５】
板状部材１２には、複数の弾性押圧片部１７に加えて、板状部材１２が配線基板１３に取り付けられるとき各々が配線基板１３に設けられた接地用接続端子部に接続されるものとされる、複数の接地接続部１８が設けられている。また、板状部材１２に屈曲形成された配線部材格納部１５における、配列配置された複数の弾性押圧片部１７をそれらの配列方向において挟む位置に、配線部材格納部１５の内側に形成される空間内に突出する一対のロック用係合部１９も設けられている。さらに、板状部材１２に屈曲形成された配線部材格納部１５における、配列配置された複数の弾性押圧片部１７をそれらの配列方向に直交する方向において挟む位置に、各々が複数の弾性押圧片部１７の配列方向に沿って伸びる一対の補強用リブ部２０が設けられている。
【００２６】
図２に示される配線基板１３は、全体が長方体を成しており、その一面上に、複数の信号用接続端子部２１が、相互に平行となるように配線基板１３の長手方向に沿って配列配置されて設けられており、また、複数の信号用接続端子部２１を３方から囲むようにして複数の接地用接続端子部２２が設けられている。コネクタ装置１１を構成する板状部材１２が配線基板１３に取り付けられるとき、板状部材１２に屈曲形成された配線部材格納部１５に設けられた複数の弾性押圧片部１７が、配線基板１３に設けられた複数の信号用接続端子部２１に夫々対応する位置をとるものとされ、また、板状部材１２に設けられた複数の接地接続部１８が、配線基板１３に設けられた複数の接地用接続端子部２２に夫々対応する位置をとるものとされる。配線基板１３における複数の信号用接続端子部２１の数及び複数の接地用接続端子部２２の数は任意に設定され、それに伴い、コネクタ装置１１における複数の弾性押圧片部１７の数及び複数の接地接続部１８の数が、夫々、複数の信号用接続端子部２１の数及び複数の接地用接続端子部２２の数に応じて定められる。
【００２７】
図３は、図１に示されるコネクタ装置１１を構成する板状部材１２が、図２に示される配線基板１３に取り付けられた状態を示す。図３に示される状態においては、コネクタ装置１１を構成する板状部材１２に設けられた複数の接地接続部１８が配線基板１３に設けられた複数の接地用接続端子部２２上に夫々配されていて、各接地接続部１８は対応する接地用接続端子部２２に半田付けされている。それにより、コネクタ装置１１が配線基板１３に電気的接続状態をもって固着されている。
【００２８】
斯かるもとで、コネクタ装置１１を構成する板状部材１２に屈曲形成された配線部材格納部１５が、配線基板１３との間に配線部材収容空間１５Ａを形成しており、配線基板１３に設けられた複数の信号用接続端子部２１は、配線部材収容空間内１５Ａに臨んでいる。
【００２９】
図３に示されるようにコネクタ装置１１を構成する板状部材１２が配線基板１３に取り付けられたもとで、図４に示されるように、フレキシブル印刷配線基板やフレキシブルフラットケーブル等の平板状配線部材１４が、配線基板１３に電気的接続状態をもって取り付けられるべく、板状部材１２に屈曲形成された配線部材格納部１５と配線基板１３との間に形成された配線部材収容空間１５Ａに挿入されようとする位置に配される。
【００３０】
図４及び図４に示される状態を図４における V-V線断面を含めて拡大してあらわす図５に示されるように、平板状配線部材１４は、配線板状部３１とその一端部に重ねられた補強板状部３２とを有している。補強板状部３２は、その外表面が導電薄層により形成されていて、平板状配線部材１４が配線部材収容空間１５Ａに挿入されるとき、その配線部材収容空間１５Ａ内に配される。
【００３１】
そして、補強板状部３２には、複数の窓部３３が配列配置されて設けられている。これらの複数の窓部３３は、補強板状部３２が配線部材収容空間１５Ａ内に配されるとき、コネクタ装置１１を構成する板状部材１２に屈曲形成された配線部材格納部１５に設けられた複数の弾性押圧片部１７に夫々対応するものとされる。また、補強板状部３２における、配列配置された複数の窓部３３をそれらの配列方向において挟む位置に、各々が透孔を形成する一対のロック用係合部３４が設けられている。なお、一対のロック用係合部３４の夫々は、透孔に代えて切欠き部を形成するものとされてもよい。
【００３２】
平板状配線部材１４が有する配線板状部３１の、平板状配線部材１４が配線部材収容空間１５Ａに挿入されるとき配線基板１３に対接する面には、それにおける補強板状部３２に設けられた複数の窓部３３に夫々対応する複数の位置に、接触接続部（図に現れていない）が設けられている。
【００３３】
その後、平板状配線部材１４は、図６及び図６に示される状態を図６における VII-VII線断面を含めて拡大してあらわす図７に示されるように、板状部材１２に屈曲形成された配線部材格納部１５と配線基板１３との間に形成された配線部材収容空間１５Ａに挿入され、平板状配線部材１４が有する補強板状部３２が配線部材収容空間内１５Ａに配される。このとき、平板状配線部材１４が有する配線板状部３１の補強板状部３２が重ねられた部分における複数の接触接続部が設けられた面が、配線基板１３における複数の信号用接続端子部２１が設けられた面に対接し、配線板状部３１における複数の接触接続部が配線基板１３における複数の信号用接続端子部２１に夫々接触する状態がとられる。
【００３４】
また、このとき、平板状配線部材１４が有する補強板状部３２に設けられた複数の窓部３３が、コネクタ装置１１を構成する板状部材１２に屈曲形成された配線部材格納部１５に設けられた複数の弾性押圧片部１７に夫々対応する位置をとるものとされる。それにより、複数の弾性押圧片部１７の夫々が、対応する窓部３３内に入り込み、窓部３３を通じて、平板状配線部材１４が有する配線板状部３１の窓部３３に対応する部分に当接し、その平板状配線部材１４が有する配線板状部３１の部分を配線基板１３に押し付ける。
【００３５】
平板状配線部材１４が有する配線板状部３１の配線基板１３に対接する面には、窓部３３に対応する位置に接触接続部が設けられていて、その接触接続部が配線基板１３に設けられた信号用接続端子部２１に接触する状態におかれているので、平板状配線部材１４が有する配線板状部３１の窓部３３に対応する部分を配線基板１３に押し付ける弾性押圧片部１７は、平板状配線部材１４が有する配線板状部３１に、それに設けられた接触接続部を配線基板１３に設けられた信号用接続端子部２１に押圧接続させる状態をとらせる。即ち、コネクタ装置１１を構成する板状部材１２に屈曲形成された配線部材格納部１５に設けられた複数の弾性押圧片部１７の夫々は、平板状配線部材１４が配線部材収容空間１５Ａに挿入されたとき、その平板状配線部材１４が有する配線板状部３１に、それに設けられた接触接続部を配線基板１３に設けられた信号用接続端子部２１に直接に接触接続させる状態を維持させる接触状態維持手段を形成しているのである。
【００３６】
さらに、このとき、コネクタ装置１１を構成する板状部材１２に屈曲形成された配線部材格納部１５に設けられた一対のロック用係合部１９が、平板状配線部材１４が有する補強板状部３２に設けられた一対のロック用係合部３４に夫々係合する。斯かるもとにおいて、一対のロック用係合部１９の夫々は、対応するロック用係合部３４に係合することにより、配線部材収容空間１５Ａ内に配された補強板状部３２を位置固定して、平板状配線部材１４に配線部材収容空間１５Ａに挿入された状態を維持させる。それにより、平板状配線部材１４がコネクタ装置１１を構成する板状部材１２により保持される状態におかれる。また、一対のロック用係合部１９の夫々は、補強板状部３２におけるロック用係合部３４の周囲に配された導電薄層に接触する。
【００３７】
斯かるもとで、コネクタ装置１１を構成する板状部材１２は、それに設けられた複数の接地接続部１８を通じて、配線基板１３に設けられた接地用接続端子部２２に接続され、接地電位が与えられるので、板状部材１２に屈曲形成された配線部材格納部１５に設けられた一対のロック用係合部１９及びそれが接触する平板状配線部材１４が有する補強板状部３２における導電薄層にも接地電位が与えられる。従って、平板状配線部材１４が有する補強板状部３２における導電薄層は、平板状配線部材１４における接地用接触接続部を形成しており、また、一対のロック用係合部１９の夫々は、平板状配線部材１４における接地用接触接続部に接続される接地接続部を形成していることになる。
【００３８】
上述のようにして、配線部材収容空間１５Ａ内に挿入された平板状配線部材１４がコネクタ装置１１を構成する板状部材１２によって保持されることにより、平板状配線部材１４の配線基板１３に対する電気的接続を伴った取り付けが確実に行われる。
【００３９】
平板状配線部材１４は、図８に示されるように、上述のような配列配置された複数の窓部３３に代えて、一個の比較的大なる透孔３５が設けられた補強板状部３２を有するものとされてもよい。斯かる透孔３５が設けられた補強板状部３２を有する平板状配線部材１４にあっては、それが有する配線板状部３１における透孔３５内に位置する部分に、複数の細条透孔３６が、相互に平行となるように配列配置されて設けられている。そして、平板状配線部材１４が配線部材収容空間１５Ａ内に挿入されるとき配線基板１３における複数の信号用接続端子部２１が設けられた面に対接することになる配線板状部３１の面における、複数の細条透孔３６のうちの隣り合う一対の間となる位置に、複数の接触接続部の夫々が設けられる。
【００４０】
このような透孔３５が設けられた補強板状部３２を有する平板状配線部材１４が、配線部材収容空間１５Ａ内に挿入されるときには、コネクタ装置１１を構成する板状部材１２に屈曲形成された配線部材格納部１５に設けられた複数の弾性押圧片部１７の夫々が、透孔３５を通じて、平板状配線部材１４が有する配線板状部３１における、複数の細条透孔３６のうちの隣り合う一対の間となる部分に当接し、その部分を配線基板１３に押し付ける。それにより、平板状配線部材１４が有する配線板状部３１における複数の細条透孔３６のうちの隣り合う一対の間となる部分を配線基板１３に押し付ける弾性押圧片部１７は、平板状配線部材１４が有する配線板状部３１に、それに設けられた接触接続部を配線基板１３に設けられた信号用接続端子部２１に押圧接続させる状態をとらせる。
【００４１】
その際、平板状配線部材１４が有する配線板状部３１における複数の接触接続部の夫々が、配線板状部３１に設けられた複数の細条透孔３６のうちの隣り合う一対の間となる位置に設けられていることにより、配線板状部３１における複数の接触接続部の夫々の配線基板１３に設けられた信号用接続端子部２１に対する押圧接続が、接触接続部間の圧力差を生じることなく、より一層均等かつ確実に行われることになる。その他については、複数の窓部３３が配列配置されて設けられた補強板状部３２を有する平板状配線部材１４の場合と同様である。
【００４２】
上述の本発明に係るコネクタ装置の一例を成すコネクタ装置１１にあっては、屈曲加工が施されて配線基板１３に取り付けられる金属製の板状部材１２によって成り、例えば、絶縁材により形成されるハウジング部や回動部材等は備えていない、極めて簡単な構成を有したものとされる。それにより、斯かるコネクタ装置１１によれば、十分な低価格化を図ることができるとともに、配線基板１３に実装されたもとにおける配線基板１３からの突出高を極めて小とできて、コネクタ装置１１全体の十分な低背化を図ることができることになる。
【００４３】
また、コネクタ装置１１を構成する金属製の板状部材１２に屈曲形成された配線部材格納部１５に設けられた、配線部材収容空間１５Ａに挿入された平板状配線部材１４を配線基板１３に押し付ける複数の弾性押圧片部１７とされる接触状態維持手段は、配線部材収容空間１５Ａに挿入された平板状配線部材１４に設けられた接触接続部を、配線基板１３に設けられた信号用接続端子部２１に直接かつ確実に接触接続させることができる。それにより、平板状配線部材１４の配線基板１３に対する電気的接続を伴った取り付けが確実に行われる。
【００４４】
さらに、コネクタ装置１１を構成する金属製の板状部材１２には、配線部材格納部１５に加えて、配線基板１３に設けられた接地用接続端子部２２に接続される接地接続部１８と、配線部材収容空間１５Ａに挿入された平板状配線部材１４における導電薄層により形成される接地用接触接続部に接続される、ロック用係合部１９により形成される接地接続部とが設けられる。それにより、コネクタ装置１１は、平板状配線部材１４に設けられた接地用接触接続部と配線基板１３における接地用接続端子部２２とを電気的に連結することもできる。
【産業上の利用可能性】
【００４５】
以上のような本発明に係るコネクタ装置は、フレキシブル印刷配線基板あるいはフレキシブルフラットケーブル等の平板状配線部材の別の配線基板への取付けに用いられるコネクタ装置であって、簡単な構成を有していて十分な低価格化と低背化とを図ることができ、しかも、平板状配線部材に設けられた接触接続部の別の配線基板に設けられた信号用接続端子部への接続を確実に行うことができるものとして、様々な電子機器等に広く適用され得るものである。
【図面の簡単な説明】
【００４６】
【図１】本発明に係るコネクタ装置の一例を示す斜視図である。
【図２】本発明に係るコネクタ装置の一例が取り付けられる配線基板を示す斜視図  である。
【図３】図１に示されるコネクタ装置が図２に示される配線基板に取り付けられた状態を示す斜視図である。
【図４】図３に示されるコネクタ装置と配線基板との間に形成される配線部材収容空間に平板状配線部材が挿入されようとする状態を示す斜視図である。
【図５】図４に示される状態を図４における V-V線断面を含んで拡大して示す斜視図である。
【図６】図３に示されるコネクタ装置と配線基板との間に形成される配線部材収容空間に平板状配線部材が挿入された状態を示す斜視図である。
【図７】図６に示される状態を図６における VII-VII線断面を含んで拡大して示す斜視図である。
【図８】図３に示されるコネクタ装置と配線基板との間に形成される配線部材収容空間に他の平板状配線部材が挿入された状態を示す斜視図である。
【符号の説明】
【００４７】
１１・・・コネクタ装置，  １２・・・板状部材，  １３・・・配線基板，  １４・・・平板状配線部材，  １５・・・配線部材格納部、  １５Ａ・・・配線部材収容空間，  １６・・・透孔状部，  １７・・・弾性押圧片部，  １８・・・接地接続部，  １９，３４・・・ロック用係合部，  ２０・・・補強用リブ部，  ２１・・・信号用接続端子部，  ２２・・・接地用接続端子部，  ３１・・・配線板状部，  ３２・・・補強板状部，  ３３・・・窓部，  ３５・・・透孔，  ３６・・・細条透孔
【図１】
2010123481.tif 000003
【図２】
2010123481.tif 000004
【図３】
2010123481.tif 000005
【図４】
2010123481.tif 000006
【図５】
2010123481.tif 000007
【図６】
2010123481.tif 000008
【図７】
2010123481.tif 000009
【図８】
2010123481.tif 000010